(57)【特許請求の範囲】
【請求項１】
基準信号を出力する出力端子と、
外部から入力されるリファレンス信号に基づいて第１基準信号を生成する第１基準信号生成部と、
発振器から出力される信号に基づいて第２基準信号を生成する第２基準信号生成部と、
前記リファレンス信号の精度が低下することを示す事前情報に基づいて、前記出力端子から出力する前記基準信号を前記第１基準信号から前記第２基準信号に切り替える制御部と、
を備えることを特徴とするタイミング信号発生装置。
【請求項２】
前記事前情報を前記制御部に向けて出力する事前情報出力部を有し、
前記事前情報出力部は、事前に、前記リファレンス信号に基づいて前記事前情報を生成する事前情報生成部を有する請求項１に記載のタイミング信号発生装置。
【請求項３】
時間情報を記憶する時間情報記憶部を有し、
前記制御部は、前記事前情報と前記時間情報とに基づいて、前記基準信号の切り替えのタイミングを決定する切り替えタイミング決定部を有する請求項２に記載のタイミング信号発生装置。
【請求項４】
前記リファレンス信号は、位置情報衛星から送信される衛星信号であり、
前記事前情報出力部は、前記リファレンス信号の精度が低下することを示す情報として、前記リファレンス信号に基づく測位の精度低下率と時間との関係を示すＤＯＰ情報を前記切り替えタイミング決定部に向けて出力し、
前記切り替えタイミング決定部は、閾値を記憶する閾値記憶部を有し、かつ前記閾値と前記ＤＯＰ情報とに基づいて、前記基準信号の切り替えのタイミングを決定する請求項３に記載のタイミング信号発生装置。
【請求項５】
前記発振器は、電圧制御発振器であり、
前記第１基準信号生成部は、前記精度低下率が前記閾値以下のときは、前記リファレンス信号に基づいて、前記発振器の制御電圧を前記発振器に入力し、前記第１基準信号を生成し、
前記制御部は、前記精度低下率が前記閾値以下のときは、前記発振器に入力されている前記発振器の制御電圧の情報を取得し、前記精度低下率が前記閾値を超えているときは、前記取得した制御電圧の情報に基づいて、前記発振器に入力する制御電圧を求め、前記求めた制御電圧を前記発振器に入力することで、前記出力端子から出力する前記基準信号を前記第１基準信号から前記第２基準信号に切り替える請求項４に記載のタイミング信号発生装置。
【請求項６】
前記事前情報は、前記リファレンス信号の精度が向上することを示す情報を含み、
前記制御部は、前記事前情報に基づいて、前記出力端子から出力する前記基準信号を前記第２基準信号から前記第１基準信号に切り替える請求項１ないし５のいずれか１項に記載のタイミング信号発生装置。
【請求項７】
外部から入力されるリファレンス信号の精度が低下することを示す事前情報に基づいて、基準信号の生成に用いる信号を、前記リファレンス信号から、内部の発振器から出力される信号に切り替えることを特徴とするタイミング信号発生装置。
【請求項８】
請求項１ないし７のいずれか１項に記載のタイミング信号発生装置を備えることを特徴とする電子機器。
【発明の詳細な説明】
【技術分野】
【０００１】
本発明は、タイミング信号発生装置および電子機器に関するものである。
【背景技術】
【０００２】
人工衛星を利用した全地球航法衛星システム（ＧＮＳＳ：Global Navigation Satellite System）の１つであるＧＰＳ（Global Positioning System）が広く知られている。ＧＰＳに用いるＧＰＳ衛星は、極めて精度の高い原子時計が搭載されており、ＧＰＳ衛星の軌道情報や正確な時刻情報等が重畳された衛星信号を地上に送信している。ＧＰＳ衛星から送信された衛星信号は、ＧＰＳ受信機で受信される。そして、ＧＰＳ受信機は、衛星信号に重畳されている軌道情報や時刻情報に基づいてＧＰＳ受信機の現在位置や時刻情報を算出する処理や、協定世界時（ＵＴＣ:Ｃｏｏｒｄｉｎａｔｅｄ Ｕｎｉｖｅｒｓａｌ Ｔｉｍｅ）に同期した正確なタイミング信号（１ＰＰＳ）を生成する処理等を行う。
【０００３】
このようなＧＰＳ受信機は、測位計算に基づき、位置・時刻を提供する通常測位（位置推定）モードと、既知位置での固定位置測位による時刻提供をする位置固定モードが設けられているのが一般的である。
【０００４】
通常測位モードでは、所定数（２次元測位あれば最低３個、３次元測位であれば４個）以上のＧＰＳ衛星からの衛星信号が必要である。また、衛星信号を受信可能なＧＰＳ衛星の数が多いほど、測位計算の精度が向上する。
【０００５】
また、位置固定モードでは、ＧＰＳ受信機の位置情報が設定されていれば、少なくとも１つのＧＰＳ衛星からの衛星信号を受信できれば１ＰＰＳを生成することができる。
【０００６】
特許文献１には、複数の人工衛星から発信された測距電波を受信して１ＰＰＳ（基準信号）を生成する１秒信号取得装置が開示されている。
【０００７】
この１秒信号取得装置は、複数の人工衛星１から発信された測距電波を受信するアンテナ２と、前記アンテナ２に接続されたＧＰＳ受信機３と、前記ＧＰＳ受信機３に接続された１ＰＰＳ妥当性判定部４と、前記ＧＰＳ受信機３および前記１ＰＰＳ妥当性判定部４に接続された状態判定部５と、前記１ＰＰＳ妥当性判定部４および前記状態判定部５に接続されたタイミング回路６と、前記タイミング回路６、前記１ＰＰＳ妥当性判定部４および前記状態判定部５に接続された装置内基準発振器７とを有し、前記タイミング回路６には、時刻関連装置等の負荷側装置８が接続されている。１ＰＰＳ妥当性判定部４は、ＧＰＳ受信機３から出力される１ＰＰＳの妥当性、すなわち、前記１ＰＰＳが正しい１Ｈｚのタイミングで連続しているか否かを判定するものである。
【０００８】
１秒信号取得装置は、前記１ＰＰＳが妥当である場合は、ＧＰＳ受信機３から出力される１ＰＰＳを出力し、妥当でない場合は、装置内基準発振器７から出力される１ＰＰＳを出力する。
【先行技術文献】
【特許文献】
【０００９】
【特許文献１】特開平８−１０５９８４号公報
【発明の概要】
【発明が解決しようとする課題】
【００１０】
しかしながら、特許文献１に記載の１秒信号取得装置では、ＧＰＳ受信機３から出力される１ＰＰＳが妥当であるか否かを判定している最中は、それが妥当でない場合でもＧＰＳ受信機３から出力される１ＰＰＳを出力する場合があり、このため１ＰＰＳの精度を保証できないという問題がある。
【００１１】
本発明の目的は、基準信号の時間的な精度を保証することができるタイミング信号発生装置および電子機器を提供することにある。
【課題を解決するための手段】
【００１２】
本発明は、上述の課題の少なくとも一部を解決するためになされたものであり、以下の形態または適用例として実現することが可能である。
【００１３】
［適用例１］
本発明のタイミング信号発生装置は、基準信号を出力する出力端子と、
外部から入力されるリファレンス信号に基づいて第１基準信号を生成する第１基準信号生成部と、
発振器から出力される信号に基づいて第２基準信号を生成する第２基準信号生成部と、
前記リファレンス信号の精度が低下することを示す事前情報に基づいて、前記出力端子から出力する前記基準信号を前記第１基準信号から前記第２基準信号に切り替える制御部と、
を備えることを特徴とする。
【００１４】
これにより、リファレンス信号の精度が許容範囲の下限値よりも低下する前に基準信号を第１基準信号から第２基準信号に切り替えることができ、これによって、基準信号の時間的な精度を保証することができる。
【００１５】
［適用例２］
本発明のタイミング信号発生装置では、前記事前情報を前記制御部に向けて出力する事前情報出力部を有することが好ましい。
【００１６】
これにより、制御部は、事前情報に基づいて、リファレンス信号の精度が許容範囲の下限値よりも低下する前に基準信号を第１基準信号から第２基準信号に切り替えることができる。
【００１７】
［適用例３］
本発明のタイミング信号発生装置では、前記事前情報出力部は、前記事前情報を記憶する事前情報記憶部を有することが好ましい。
【００１８】
これにより、事前情報記憶部に記憶されている事前情報を用いることにより、その都度事前情報を入力する手間を省くことができる。
【００１９】
［適用例４］
本発明のタイミング信号発生装置では、前記事前情報出力部は、事前に、前記リファレンス信号に基づいて前記事前情報を生成する事前情報生成部を有することが好ましい。
これにより、より正確な事前情報を得ることができる。
【００２０】
［適用例５］
本発明のタイミング信号発生装置では、時間情報を記憶する時間情報記憶部を有し、
前記制御部は、前記事前情報と前記時間情報とに基づいて、前記基準信号の切り替えのタイミングを決定する切り替えタイミング決定部を有することが好ましい。
【００２１】
これにより、リファレンス信号の精度が許容範囲の下限値よりも低下する前において、基準信号の切り替えのタイミングを任意に設定することができる。
【００２２】
［適用例６］
本発明のタイミング信号発生装置では、前記リファレンス信号は、位置情報衛星から送信される衛星信号であり、
前記事前情報出力部は、前記リファレンス信号の精度が低下することを示す情報として、前記リファレンス信号に基づく測位の精度低下率と時間との関係を示すＤＯＰ情報を前記切り替えタイミング決定部に向けて出力し、
前記切り替えタイミング決定部は、閾値を記憶する閾値記憶部を有し、かつ前記閾値と前記ＤＯＰ情報とに基づいて、前記基準信号の切り替えのタイミングを決定することが好ましい。
【００２３】
これにより、リファレンス信号に基づく測位の精度低下率がどの程度の値になるまで基準信号として第１基準信号を出力するかを任意に設定することができる。
【００２４】
［適用例７］
本発明のタイミング信号発生装置では、前記発振器は、電圧制御発振器であり、
前記第１基準信号生成部は、前記精度低下率が前記閾値以下のときは、前記リファレンス信号に基づいて、前記発振器の制御電圧を前記発振器に入力し、前記第１基準信号を生成し、
前記制御部は、前記精度低下率が前記閾値以下のときは、前記発振器に入力されている前記発振器の制御電圧の情報を取得し、前記精度低下率が前記閾値を超えているときは、前記取得した制御電圧の情報に基づいて、前記発振器に入力する制御電圧を求め、前記求めた制御電圧を前記発振器に入力することで、前記出力端子から出力する前記基準信号を前記第１基準信号から前記第２基準信号に切り替えることが好ましい。
【００２５】
これにより、第２基準信号を出力している際、発振器のエージング補正を行うことができ、第２基準信号の時間的な精度を向上させることができる。
【００２６】
［適用例８］
本発明のタイミング信号発生装置では、前記リファレンス信号は、位置情報衛星から送信される衛星信号であり、
前記第１基準信号生成部は、前記衛星信号を受信する受信機を有することが好ましい。
これにより、衛星信号を受信して第１基準信号を生成することができる。
【００２７】
［適用例９］
本発明のタイミング信号発生装置では、前記事前情報は、前記リファレンス信号の精度が向上することを示す情報を含み、
前記制御部は、前記事前情報に基づいて、前記出力端子から出力する前記基準信号を前記第２基準信号から前記第１基準信号に切り替えることが好ましい。
【００２８】
これにより、リファレンス信号の精度が許容範囲の下限値よりも低下した後、前記下限値以上になった場合、基準信号を第２基準信号から第１基準信号に切り替えることができ、これによって、基準信号の時間的な精度をより向上させることができる。
【００２９】
［適用例１０］
本発明のタイミング信号発生装置は、外部から入力されるリファレンス信号の精度が低下することを示す事前情報に基づいて、基準信号の生成に用いる信号を、前記リファレンス信号から、内部の発振器から出力される信号に切り替えることを特徴とする。
【００３０】
これにより、リファレンス信号の精度が許容範囲の下限値よりも低下する前に基準信号を第１基準信号から第２基準信号に切り替えることができ、これによって、基準信号の時間的な精度を保証することができる。
【００３１】
［適用例１１］
本発明の電子機器は、本発明のタイミング信号発生装置を備えることを特徴とする。
【００３２】
これにより、リファレンス信号の精度が許容範囲の下限値よりも低下する前に基準信号を第１基準信号から第２基準信号に切り替えることができ、これによって、基準信号の時間的な精度を保証することができる。
【図面の簡単な説明】
【００３３】
【図１】本発明のタイミング信号発生装置の第１実施形態の概略構成を示す図である。
【図２】ＧＰＳ衛星から送信される航法メッセージの構成を示す図である。
【図３】図１に示すタイミング信号発生装置が備えるＧＰＳ受信機の構成例を示すブロック図である。
【図４】図１に示すタイミング信号発生装置における衛星信号の精度低下率と時間との関係を示すグラフである。
【図５】図１に示すタイミング信号発生装置において、衛星信号に基づいて得られた水晶発振器に入力される制御電圧と時間との関係を示すグラフである。
【図６】本発明のタイミング信号発生装置の第２実施形態の主要部の概略構成を示す図である。
【図７】図６に示すタイミング信号発生装置における衛星信号の精度低下率と時間との関係を示すグラフである。
【図８】本発明の電子機器の実施形態を示すブロック図である。
【発明を実施するための形態】
【００３４】
以下、本発明のタイミング信号発生装置および電子機器について添付図面に示す実施形態に基づいて詳細に説明する。
【００３５】
１．タイミング信号発生装置
＜第１実施形態＞
図１は、本発明のタイミング信号発生装置の第１実施形態の概略構成を示す図である。図２は、ＧＰＳ衛星から送信される航法メッセージの構成を示す図である。図３は、図１に示すタイミング信号発生装置が備えるＧＰＳ受信機の構成例を示すブロック図である。図４は、図１に示すタイミング信号発生装置における衛星信号の精度低下率と時間との関係を示すグラフである。図５は、図１に示すタイミング信号発生装置において、衛星信号に基づいて得られた水晶発振器に入力される制御電圧と時間との関係を示すグラフである。
【００３６】
図１に示すタイミング信号発生装置１は、衛星信号受信部としてのＧＰＳ受信機（受信機）１０と、衛星信号受信制御装置としての処理部（ＣＰＵ）２０と、電圧制御発振器（ＶＣＯ）としての水晶発振器（発振器）３０と、温度センサー４０と、制御部３１と、タイマー（時計）３２と、事前情報出力部３３と、ＧＰＳアンテナ５０とを備えている。
【００３７】
なお、タイミング信号発生装置１は、構成要素の一部または全部が物理的に分離されていてもよいし、一体化されていてもよい。例えば、ＧＰＳ受信機１０と処理部２０はそれぞれ別個のＩＣで実現されていてもよいし、ＧＰＳ受信機１０と処理部２０は１チップのＩＣとして実現されていてもよい。他の部分も同様である。
【００３８】
このタイミング信号発生装置１は、ＧＰＳ衛星（位置情報衛星の）２から送信された信号を受信し、高精度の１ＰＰＳを生成するものである。
【００３９】
ＧＰＳ衛星２は、地球の上空の所定の軌道上を周回しており、搬送波である１．５７５４２ＧＨｚの電波（Ｌ１波）に航法メッセージおよびＣ／Ａコード（Coarse/Acquisition Code）を重畳（搬送波を変調）させた衛星信号（ＧＰＳ信号）を地上に送信している。なお、前記衛星信号は、外部からタイミング信号発生装置１に入力されるリファレンス信号の一例である。
【００４０】
Ｃ／Ａコードは、現在約３０個存在するＧＰＳ衛星２の衛星信号を識別するためのものであり、各ｃｈｉｐが＋１または−１のいずれかである１０２３ｃｈｉｐ（１ｍｓ周期）からなる固有のパターンである。したがって、衛星信号と各Ｃ／Ａコードのパターンの相関をとることにより、衛星信号に重畳されているＣ／Ａコードを検出することができる。
【００４１】
各ＧＰＳ衛星２が送信する衛星信号（具体的には航法メッセージ）には、各ＧＰＳ衛星２の軌道上の位置を示す軌道情報が含まれている。また、各ＧＰＳ衛星２は原子時計を搭載しており、衛星信号には、原子時計で計時された極めて正確な時刻情報が含まれている。したがって、４つ以上のＧＰＳ衛星２からの衛星信号を受信し、各衛星信号に含まれている軌道情報および時刻情報を用いて測位計算を行うことで、受信点（ＧＰＳアンテナ５０の設置場所）の位置と時刻の正確な情報を得ることができる。具体的には、受信点の３次元位置（ｘ，ｙ，ｚ）および時刻ｔを４つの変数とする４次元方程式を立ててその解を求めればよい。
【００４２】
なお、受信点の位置が既知である場合、１つ以上のＧＰＳ衛星２からの衛星信号を受信し、各衛星信号に含まれている時刻情報を用いて受信点の時刻情報を得ることができる。
【００４３】
また、各衛星信号に含まれている軌道情報を用いて、各ＧＰＳ衛星２の時刻と受信点の時刻との差の情報を得ることができる。なお、地上のコントロールセグメントにより各ＧＰＳ衛星２に搭載されている原子時計のわずかな時刻誤差が測定されており、衛星信号にはその時刻誤差を補正するための時刻補正パラメーターも含まれており、この時刻補正パラメーターを用いて受信点の時刻を補正することで極めて正確な時刻情報を得ることができる。
【００４４】
図２（Ａ）に示すように、航法メッセージは、全ビット数１５００ビットのメインフレームを１単位とするデータとして構成されている。メインフレームは、それぞれ３００ビットの５つのサブフレーム１〜５に分割されている。１つのサブフレームのデータは、各ＧＰＳ衛星２から６秒で送信される。したがって、１つのメインフレームのデータは、各ＧＰＳ衛星２から３０秒で送信される。
【００４５】
サブフレーム１には、週番号データ（ＷＮ）等の衛星補正データが含まれている。週番号データは、ＧＰＳ衛星２の時刻が含まれる週を表す情報である。ＧＰＳ衛星２の時刻の起点は、ＵＴＣ（世界標準時）における１９８０年１月６日００：００：００であり、この日に始まる週は週番号０となっている。週番号データは、１週間単位で更新される。
【００４６】
サブフレーム２、３には、エフェメリスパラメータ（各ＧＰＳ衛星２の詳細な軌道情報）が含まれる。また、サブフレーム４、５には、アルマナックパラメータ（全ＧＰＳ衛星２の概略軌道情報）が含まれている。
【００４７】
さらに、サブフレーム１〜５の各先頭には、３０ビットのＴＬＭ（Telemetry word）データが格納されたＴＬＭ（Telemetry）ワードと、３０ビットのＨＯＷ（hand over word）データが格納されたＨＯＷワードとが含まれている。
【００４８】
したがって、ＴＬＭワードやＨＯＷワードは、ＧＰＳ衛星２から６秒間隔で送信されるのに対し、週番号データ等の衛星補正データ、エフェメリスパラメータ、アルマナックパラメータは３０秒間隔で送信される。
【００４９】
図２（Ｂ）に示すように、ＴＬＭワードには、プリアンブルデータ、ＴＬＭメッセージ、Reservedビット、パリティデータが含まれている。
【００５０】
図２（Ｃ）に示すように、ＨＯＷワードには、ＴＯＷ（Time of Week）（以下、「Ｚカウント」ともいう）という時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報であって、経過時間が１．５秒単位で表した数となっている。ここで、Ｚカウントデータは、次のサブフレームデータの先頭ビットが送信される時刻情報を示す。例えば、サブフレーム１のＺカウントデータは、サブフレーム２の先頭ビットが送信される時刻情報を示す。また、ＨＯＷワードには、サブフレームのＩＤを示す３ビットのデータ(ＩＤコード)も含まれている。すなわち、図２（Ａ）に示すサブフレーム１〜５のＨＯＷワードには、それぞれ「００１」、「０１０」、「０１１」、「１００」、「１０１」のＩＤコードが含まれている。
【００５１】
サブフレーム１に含まれる週番号データとサブフレーム１〜５に含まれるＨＯＷワード（Ｚカウントデータ）を取得することで、ＧＰＳ衛星２の時刻を計算することができる。なお、以前に週番号データを取得し、週番号データを取得した時期からの経過時間を内部でカウントしておけば、週番号データを毎回取得しなくてもＧＰＳ衛星２の現在の週番号データを得ることができる。したがって、Ｚカウントデータのみを取得すれば、ＧＰＳ衛星２の現在の時刻を概算で知ることができる。
【００５２】
以上説明したような衛星信号は、図１に示すＧＰＳアンテナ５０を介して、ＧＰＳ受信機１０で受信される。
【００５３】
ＧＰＳアンテナ５０は、衛星信号を含む各種の電波を受信するアンテナであり、ＧＰＳ受信機１０に接続されている。
【００５４】
ＧＰＳ受信機１０は、ＧＰＳアンテナ５０を介して受信した衛星信号に基づいて、各種の処理を行う。
【００５５】
具体的に説明すると、ＧＰＳ受信機１０は、通常測位モード（第１のモード）および位置固定モード（第２のモード）を有し、処理部（ＣＰＵ）２０からの制御コマンド（モード設定用の制御コマンド）に応じて通常測位モードと位置固定モードのいずれかに設定される。
【００５６】
ＧＰＳ受信機１０は、通常測位モードでは、「測位計算部」として機能し、複数（好ましくは４個以上）のＧＰＳ衛星２から送信された衛星信号を受信し、受信した衛星信号に含まれる軌道情報（具体的には、前述したエフェメリスデータやアルマナックデータ等）および時刻情報（具体的には、前述した週番号データやＺカウントデータ等）に基づいて測位計算を行う。また、ＧＰＳ受信機１０は、下記１ＰＰＳを生成する。
【００５７】
また、ＧＰＳ受信機１０は、位置固定モードでは、「タイミング信号生成部」として機能し、少なくとも１つのＧＰＳ衛星２から送信された衛星信号を受信し、受信した衛星信号に含まれる軌道情報および時刻情報と設定された受信点の位置情報とに基づいて、１ＰＰＳ（1 Pulse Per Second）を生成する。１ＰＰＳ（基準時刻に同期したタイミング信号の一例）は、ＵＴＣ（世界標準時）と完全同期したパルス信号であり、１秒毎に１パルスを含む。このように、ＧＰＳ受信機１０がタイミング信号の生成に用いる衛星信号が軌道情報および時刻情報を含んでいることにより、基準時刻に正確に同期したタイミング信号を生成することができる。
【００５８】
以下、ＧＰＳ受信機１０の構成について詳述する。
図３に示すＧＰＳ受信機１０は、ＳＡＷ（Surface Acoustic Wave：表面弾性波）フィルター１１、ＲＦ処理部１２、ベースバンド処理部１３および温度補償型水晶発振器（ＴＣＸＯ：Temperature Compensated Crystal Oscillator）１４を有している。
【００５９】
ＳＡＷフィルター１１は、ＧＰＳアンテナ５０が受信した電波から衛星信号を抽出する処理を行う。このＳＡＷフィルター１１は、１．５ＧＨｚ帯の信号を通過させるバンドパスフィルターとして構成される。
【００６０】
ＲＦ処理部１２は、ＰＬＬ（Phase Locked Loop）１２１、ＬＮＡ（Low Noise Amplifier）１２２、ミキサー１２３、ＩＦアンプ１２４、ＩＦ（Intermediate Frequency：中間周波数）フィルター１２５およびＡＤＣ（Ａ／Ｄ変換器）１２６を有している。
【００６１】
ＰＬＬ１２１は、数十ＭＨｚ程度で発振するＴＣＸＯ１４の発振信号を１．５ＧＨｚ帯の周波数に逓倍したクロック信号を生成する。
【００６２】
ＳＡＷフィルター１１が抽出した衛星信号は、ＬＮＡ１２２で増幅される。ＬＮＡ１２２で増幅された衛星信号は、ミキサー１２３でＰＬＬ１２１が出力するクロック信号とミキシングされて中間周波数帯（例えば、数ＭＨｚ）の信号（ＩＦ信号）にダウンコンバートされる。ミキサー１２３でミキシングされた信号は、ＩＦアンプ１２４で増幅される。
【００６３】
ミキサー１２３でのミキシングにより、ＩＦ信号とともにＧＨｚオーダーの高周波信号も生成されるため、ＩＦアンプ１２４はＩＦ信号とともにこの高周波信号も増幅する。ＩＦフィルター１２５は、ＩＦ信号を通過させるとともに、この高周波信号を除去する（正確には、所定のレベル以下に減衰させる）。ＩＦフィルター１２５を通過したＩＦ信号はＡＤＣ（Ａ／Ｄ変換器）１２６でデジタル信号に変換される。
【００６４】
ベースバンド処理部１３は、ＤＳＰ（Digital Signal Processor）１３１、ＣＰＵ（Central Processing Unit）１３２、ＳＲＡＭ（Static Random Access Memory）１３３およびＲＴＣ（リアルタイムクロック）１３４を有しており、ＴＣＸＯ１４の発振信号をクロック信号として各種処理を行う。
【００６５】
ＤＳＰ１３１とＣＰＵ１３２は、協働しながら、ＩＦ信号からベースバンド信号を復調し、航法メッセージに含まれる軌道情報や時刻情報を取得し、通常測位モードの処理あるいは位置固定モードの処理を行う。
【００６６】
ＳＲＡＭ１３３は、取得された時刻情報や軌道情報、所定の制御コマンド（位置設定用の制御コマンド）に応じて設定された受信点の位置情報、位置固定モード等で用いる仰角マスク等を記憶するためのものである。ＲＴＣ１３４は、ベースバンド処理を行うためのタイミングを生成するものである。このＲＴＣ１３４は、ＴＣＸＯ１４からのクロック信号でカウントアップされる。
【００６７】
具体的には、ベースバンド処理部１３は、各Ｃ／Ａコードと同一のパターンのローカルコードを発生し、ベースバンド信号に含まれる各Ｃ／Ａコードとローカルコードの相関をとる処理（衛星サーチ）を行う。そして、ベースバンド処理部１３は、各ローカルコードに対する相関値がピークになるようにローカルコードの発生タイミングを調整し、相関値が閾値以上となる場合にはそのローカルコードをＣ／ＡコードとするＧＰＳ衛星２に同期（ＧＰＳ衛星２を捕捉）したものと判断する。なお、ＧＰＳでは、すべてのＧＰＳ衛星２が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２を検索することができる。
【００６８】
また、ベースバンド処理部１３は、捕捉したＧＰＳ衛星２の軌道情報や時刻情報を取得するために、当該ＧＰＳ衛星２のＣ／Ａコードと同一のパターンのローカルコードとベースバンド信号をミキシングする処理を行う。ミキシングされた信号には、捕捉したＧＰＳ衛星２の軌道情報や時刻情報を含む航法メッセージが復調される。そして、ベースバンド処理部１３は、航法メッセージに含まれる軌道情報や時刻情報を取得し、ＳＲＡＭ１３３に記憶する処理を行う。
【００６９】
また、ベースバンド処理部１３は、所定の制御コマンド（具体的にはモード設定用の制御コマンド）を受信し、通常測位モードと位置固定モードのいずれかに設定される。ベースバンド処理部１３は、通常測位モードでは、ＳＲＡＭ１３３に記憶されている４つ以上のＧＰＳ衛星２の軌道情報および時刻情報を用いて測位計算を行う。
【００７０】
また、ベースバンド処理部１３は、位置固定モードでは、ＳＲＡＭ１３３に記憶されている１つ以上のＧＰＳ衛星２の軌道情報と、ＳＲＡＭ１３３に記憶されている受信点の位置情報とを用いて高精度の１ＰＰＳを出力する。具体的には、ベースバンド処理部１３は、ＲＴＣ１３４の一部に１ＰＰＳの各パルスの発生タイミングをカウントする１ＰＰＳカウンターを備えており、ＧＰＳ衛星２の軌道情報と受信点の位置情報とを用いて、ＧＰＳ衛星２から送信された衛星信号が受信点まで到達するのに要する伝搬遅延時間を計算し、この伝搬遅延時間に基づき１ＰＰＳカウンターの設定値を最適値に変更する。
【００７１】
また、ベースバンド処理部１３は、通常測位モードにおいては、測位計算で得られた受信点の時刻情報に基づき１ＰＰＳを出力する。
【００７２】
なお、位置固定モードにおいて、複数のＧＰＳ衛星２が捕捉できれば測位計算を行ってもよい。
【００７３】
また、ベースバンド処理部１３は、測位計算の結果の位置情報や時刻情報、受信状況（ＧＰＳ衛星２の捕捉数、衛星信号の強度等）等の各種情報を含むＮＭＥＡデータを出力する。
【００７４】
以上説明したように構成されたＧＰＳ受信機１０の動作は、図１に示す処理部（ＣＰＵ）２０により制御される。
【００７５】
処理部２０は、ＧＰＳ受信機１０に対して各種の制御コマンドを送信してＧＰＳ受信機１０の動作を制御し、ＧＰＳ受信機１０が出力する１ＰＰＳやＮＭＥＡデータを受け取って各種の処理を行う。なお、処理部２０は、例えば、任意のメモリーに記憶されているプログラムにしたがって、各種処理を行ってもよい。
【００７６】
この処理部２０は、位相比較器２１、ループフィルター２２、ＤＳＰ（Digital Signal Processor）（位置情報生成部）２３、分周器２４およびＧＰＳ制御部（受信制御部）２５を有している。なお、ＤＳＰ２３とＧＰＳ制御部２５とは一つの部品で構成されていてもよい。
【００７７】
ＤＳＰ２３は、ＧＰＳ受信機１０から定期的に（例えば、１秒毎に）ＮＭＥＡデータを取得し、ＮＭＥＡデータに含まれる位置情報（ＧＰＳ受信機１０による通常測位モードでの測位計算の結果）を集めて所定時間における統計情報を作成し、その統計情報に基づいて、受信点の位置情報を生成する処理を行う。特に、ＧＰＳ受信機１０による通常測位モードでの複数の測位計算結果の代表値（例えば、平均値、最頻値または中央値）に基づいて、受信点の位置情報を生成する。
【００７８】
ＧＰＳ制御部２５は、ＧＰＳ受信機１０に各種の制御コマンドを送信し、ＧＰＳ受信機１０の動作を制御する。具体的には、ＧＰＳ制御部２５は、ＧＰＳ受信機１０にモード設定用の制御コマンドを送信し、ＧＰＳ受信機１０を通常測位モードから位置固定モードに切り替える処理を行う。また、ＧＰＳ制御部２５は、ＧＰＳ受信機１０を通常測位モードから位置固定モードに切り替える前に、ＧＰＳ受信機１０に位置設定用の制御コマンドを送信し、ＤＳＰ２３が生成した受信点の位置情報をＧＰＳ受信機１０に設定する処理を行う。
【００７９】
分周器２４は、水晶発振器３０が出力するクロック信号（周波数：ｆ）をｆ分周し、１Ｈｚの分周クロック信号を出力する。
【００８０】
位相比較器２１は、ＧＰＳ受信機１０が出力する１ＰＰＳと分周器２４が出力する１Ｈｚの分周クロック信号とを位相比較する。位相比較器２１の比較結果の位相差信号は、ループフィルター２２を介して水晶発振器３０に入力される。ループフィルター２２のパラメーターは、ＤＳＰ２３により設定される。
【００８１】
分周器２４が出力する１Ｈｚの分周クロック信号は、ＧＰＳ受信機１０が出力する１ＰＰＳと同期しており、タイミング信号発生装置１は、この分周クロック信号をＵＴＣと同期した極めて周波数精度の高い１ＰＰＳとして外部に出力する。この１ＰＰＳを「第１基準信号」と言う。なお、ＧＰＳ受信機１０、処理部２０および水晶発振器３０により、第１基準信号生成部の主要部が構成される。
【００８２】
また、制御部３１の制御により、処理部２０は、水晶発振器３０が出力するクロック信号をＧＰＳ受信機１０が出力する１ＰＰＳに同期させる処理を停止し、前記第１基準信号の出力を停止し、その第１基準信号に代えて、水晶発振器３０を自走発振させて１ＰＰＳを外部に出力する。この１ＰＰＳを「第２基準信号」と言う。なお、水晶発振器３０および分周器２４により、第２基準信号生成部の主要部が構成される。
【００８３】
この第１基準信号と第２基準信号との切り替えは、後述する事前情報に基づいて行われるが、これについては、後に詳述する。
【００８４】
なお、想定外に、ＧＰＳ受信機１０が衛星信号を受信できない等の状況（ホールドオーバー）が発生すると、ＧＰＳ受信機１０が出力する１ＰＰＳの精度が劣化し、あるいは、ＧＰＳ受信機１０が１ＰＰＳの出力を停止するが、このような場合も、第２基準信号を出力するようにしてもよい。
【００８５】
また、タイミング信号発生装置１は、１ＰＰＳと同期して１秒毎に最新のＮＭＥＡデータを外部に出力し、また、水晶発振器３０が出力する周波数がｆのクロック信号も外部に出力する。
【００８６】
水晶発振器３０としては、特に限定されず、例えば、恒温槽型水晶発振器（ＯＣＸＯ）、温度補償型水晶発振器（ＴＣＸＯ）等が挙げられる。また、本実施形態では、発振器として、水晶発振器３０を用いているが、これに限定されず、発振器として、例えば、原子発振器等を用いてもよい。
【００８７】
水晶発振器３０は、ループフィルター２２の出力電圧（制御電圧）に応じて周波数を微調整可能に構成されており、前述のように、位相比較器２１、ループフィルター２２、ＤＳＰ２３および分周器２４により、水晶発振器３０が出力するクロック信号はＧＰＳ受信機１０が出力する１ＰＰＳに完全に同期する。すなわち、位相比較器２１、ループフィルター２２、ＤＳＰ２３および分周器２４による構成は、水晶発振器３０が出力するクロック信号を１ＰＰＳに同期させる「同期制御部」として機能する。なお、水晶発振器３０の近傍には温度センサー４０が配置されており、ＤＳＰ２３は、温度センサー４０の検出値（検出温度）に応じて位相比較器２１の出力電圧を調整することで、水晶発振器３０の周波数温度特性を温度補償する処理も行う。
【００８８】
図１に示すように、制御部３１は、切り替えタイミング決定部３１１を有し、切り替えタイミング決定部３１１は、閾値記憶部３１２を有している。この制御部３１は、例えば、ＣＰＵ、メモリー等で構成されており、処理部２０の第１基準信号と第２基準信号との切り替え動作等を制御する。
【００８９】
また、事前情報出力部３３は、事前情報生成部３３１、事前情報記憶部３３２および時間情報記憶部３３３を有している。また、事前情報生成部３３１は、前述したＧＰＳ受信機１０を有している。
【００９０】
このタイミング信号発生装置１では、事前に、事前情報記憶部３３２に事前情報を記憶しておき、その事前情報に基づいて、処理部２０に電気的に接続された出力端子から外部に出力する１ＰＰＳ（基準信号）を、第１基準信号と第２基準信号との一方から他方に切り替える。なお、以下では、「処理部２０に電気的に接続された出力端子から外部に出力する」を、単に「出力する」等とも言う。「第１基準信号と第２基準信号との一方から他方への切り替え」を、単に「切り替え」等とも言う。
【００９１】
このような基準信号の切り替えを行う理由は、例えば、ＧＰＳ衛星２の位置が悪いと、ＧＰＳ受信機１０が出力する１ＰＰＳの精度が悪化し、第１基準信号の精度が悪化するためである。そこで、ＧＰＳ衛星２の位置が良い場合は、基準信号として、第１基準信号を出力し、ＧＰＳ衛星２の位置が悪い場合は、基準信号として、第２基準信号を出力する。
【００９２】
また、事前情報としては、ＧＰＳ衛星２の位置に基づく情報等が挙げられ、事前に入手できる情報である。
【００９３】
具体的には、事前情報としては、受信点（ＧＰＳアンテナ５０の設置場所）に対するＧＰＳ衛星２の位置と時間との関係を示す位置情報、ＰＤＯＰ（Ｐｏｓｉｔｉｏｎ  Ｄｉｌｕｔｉｏｎ  Ｏｆ  Ｐｒｅｃｉｓｉｏｎ）等のＤＯＰ（Ｄｉｌｕｔｉｏｎ  Ｏｆ  Ｐｒｅｃｉｓｉｏｎ）と時間との関係を示すＤＯＰ情報、ＧＰＳ受信機１０により衛星信号の受信感度と時間との関係を示す受信感度情報等が挙げられ得る。これらには、１ＰＰＳ等の衛星信号の精度が低下、向上することを示す情報が含まれている。
【００９４】
また、「ＤＯＰ」とは、ＧＰＳ受信機１０により受信される衛星信号に基づく測位の精度の劣化の程度を示す数値（指標）、すなわち、精度低下率であり、低いほど良い。また、「ＰＤＯＰ」とは、ＤＯＰの下位概念であり、ＧＰＳ受信機１０により受信される衛星信号に基づく測位の精度の劣化の程度を示す数値（指標）、すなわち、位置精度低下率であり、低いほど良い。本実施形態では、事前情報として、代表的に、ＤＯＰ情報を用いる場合を例に挙げて説明する。なお、ＤＯＰと時間との関係は、毎日一定ではなく、毎日ずれてゆくので、そのずれも加味してＤＯＰ情報等の事前情報は作成されている。
【００９５】
次に、基準信号の切り替えのタイミングについて説明する。
まず、ＤＯＰの許容範囲の下限値を示す閾値を設定する。この閾値は、事前に、閾値記憶部３１２に記憶される。
【００９６】
この閾値としては、特に限定されず、諸条件に応じて適宜設定されるものであるが、３以下であることが好ましく、２以下であることがより好ましく、１．０５以上、１．５以下であることがさらに好ましい。
【００９７】
閾値が前記上限値よりも大きいと、他の条件によっては、第１基準信号の精度が不十分な場合がある。
【００９８】
また、事前情報出力部３３は、制御部３１の切り替えタイミング決定部３１１に向けてＤＯＰ情報を出力する。そして、切り替えタイミング決定部３１１は、そのＤＯＰ情報と閾値とに基づいて、下記のように、基準信号の切り替えのタイミングを決定し、制御部３１は、処理部２０の動作を制御して、基準信号の切り替えを行う。
【００９９】
図４に示すように、ＤＯＰが閾値のときの時間は、ｔ２およびｔ３である。この場合は、時間ｔ２までは、第１基準信号を出力し、時間ｔ２で、第２基準信号に切り替える。また、時間ｔ２から時間ｔ３までは、第２基準信号を出力し、時間ｔ３で、第１基準信号に切り替える。そして、時間ｔ３からは、第１基準信号を出力する。
【０１００】
このように、事前情報に基づいて基準信号の切り替えを行うことにより、常に、精度の良い基準信号を出力することができ、基準信号の精度を保証することができる。
【０１０１】
なお、この基準信号の切り替えの制御では、時間ｔ２およびｔ３を記憶しておき、その時間ｔ２およびｔ３のときに、基準信号の切り替えを行うように構成してもよい。
【０１０２】
また、前記のように時間ｔ２およびｔ３を切り替えの時間としてもよいが、誤差等を考慮して、ｔ２よりも所定時間Ｔ１だけ前と、ｔ３よりも所定時間Ｔ２だけ後に、基準信号の切り替えを行うことが好ましい。前記Ｔ１、Ｔ２は、それぞれ、時間情報であり、事前に、時間情報記憶部３３３に記憶される。
【０１０３】
事前情報出力部３３は、制御部３１の切り替えタイミング決定部３１１に向けてＤＯＰ情報および時間情報を出力する。そして、切り替えタイミング決定部３１１は、ＤＯＰ情報と閾値と時間情報とに基づいて、下記のように、基準信号の切り替えのタイミングを決定し、制御部３１は、処理部２０の動作を制御して、基準信号の切り替えを行う。
【０１０４】
すなわち、時間ｔ１までは、第１基準信号を出力し、時間ｔ１で、第２基準信号に切り替える。また、時間ｔ１から時間ｔ４までは、第２基準信号を出力し、時間ｔ４で、第１基準信号に切り替える。そして、時間ｔ４からは、第１基準信号を出力する。
【０１０５】
これにより、より確実に、常に、精度の良い基準信号を出力することができ、基準信号の精度を保証することができる。
【０１０６】
また、Ｔ１およびＴ２としては、それぞれ、特に限定されず、諸条件に応じて適宜設定されるものであるが、３０分以下であることが好ましく、１５分以下であることがより好ましく、１秒以上、５分以下であることがさらに好ましい。なお、Ｔ１とＴ２とは、同一でもよく、また異なっていてもよい。
【０１０７】
Ｔ１、Ｔ２が前記上限値よりも長いと、他の条件によっては、第１基準信号の精度が不十分な場合がある。
【０１０８】
なお、この基準信号の切り替えの制御では、時間ｔ１およびｔ４を記憶しておき、その時間ｔ１およびｔ４のときに、基準信号の切り替えを行うように構成してもよい。
【０１０９】
このようなタイミング信号発生装置１では、使用者は、その使用に先立って、ＤＯＰ情報を入手し、事前情報記憶部３３２にそのＤＯＰ情報を記憶し、また、閾値記憶部３１２に閾値を記憶し、また、時間情報記憶部３３３に時間情報を記憶する。なお、これらの情報のうちのいずれか１つ、または２つ、またはすべてが、予め、記憶されていてもよいことは、言うまでもない。
【０１１０】
また、このタイミング信号発生装置１では、事前に、タイミング信号発生装置１を作動させ、事前情報生成部３３１がＤＯＰ情報を生成（作成）し、そのＤＯＰ情報を事前情報記憶部３３２に記憶するように構成してもよい。この場合、ＧＰＳ受信機１０は、受信した衛星信号に基づいてＤＯＰ情報を生成する。なお、前述したように、ＤＯＰと時間との関係は、毎日一定ではなく、毎日ずれてゆくので、事前情報生成部３３１は、そのずれも加味してＤＯＰ情報を生成する。これにより、より正確なＤＯＰ情報を得ることができる。
【０１１１】
また、このタイミング信号発生装置１では、ＤＯＰが閾値以下のときは、水晶発振器３０のエージング補正の補正値を得るための情報、すなわち、ループフィルター２２から水晶発振器３０に入力されている水晶発振器３０の制御電圧の情報を取得する。この制御電圧の情報は、図示しない記憶部に記憶される。そして、ＤＯＰが閾値を超えているときは、前記制御電圧の情報に基づいて、水晶発振器３０のエージング補正の補正値を含む水晶発振器３０の制御電圧を求め、その制御電圧を水晶発振器３０に入力し、水晶発振器３０を自走発振させ、第２基準信号を外部に出力する。これにより、第２基準信号を出力している際、水晶発振器３０のエージング補正を行うことができ、第２基準信号の時間的な精度を向上させることができる。
【０１１２】
具体例を挙げて説明すると、図５に示すように、ＤＯＰが閾値のときの時間ｔ２までは、ループフィルター２２から出力される水晶発振器３０の制御電圧の情報を取得する。
【０１１３】
そして、ＤＯＰが閾値を超えているとき、すなわち、時間ｔ２から時間ｔ３までは、前記時間ｔ２までの制御電圧の情報に基づいて、水晶発振器３０のエージング補正の補正値を含む水晶発振器３０の制御電圧を求める。すなわち、図５に示す時間ｔ２までの水晶発振器３０の制御電圧と時間との関係を示す曲線を表す関数（演算式）に基づいて、対応する時間における水晶発振器３０の制御電圧を求める。そして、時間ｔ２から時間ｔ３までは、前記求めた制御電圧を水晶発振器３０に入力し、水晶発振器３０を自走発振させ、第２基準信号を外部に出力する。
【０１１４】
また、時間ｔ３からは、前記と同様に、ループフィルター２２から出力される水晶発振器３０の制御電圧の情報を取得し、ＤＯＰが閾値を超えると、前記と同様に、前記制御電圧の情報に基づいて、水晶発振器３０のエージング補正の補正値を含む水晶発振器３０の制御電圧を求める。
【０１１５】
以上説明したように、このタイミング信号発生装置１では、ＤＯＰ情報を用いることにより、ＧＰＳ受信機１０が出力する１ＰＰＳの精度が高い場合は、水晶発振器３０が出力するクロック信号を前記ＧＰＳ受信機１０が出力する正確な１ＰＰＳに同期させることで、水晶発振器３０の精度よりも高い精度の第１基準信号を生成し、出力することができる。
【０１１６】
また、ＧＰＳ受信機１０が出力する１ＰＰＳの精度が低い場合は、水晶発振器３０が出力するクロック信号をＧＰＳ受信機１０が出力する１ＰＰＳに同期させる処理を停止して水晶発振器３０を自走発振させることで、少なくとも水晶発振器３０の周波数精度の第２基準信号を出力することができる。
【０１１７】
また、ＤＯＰ情報は、事前に事前情報記憶部３３２に記憶されており、そのＤＯＰ情報に基づいて、基準信号の切り替えを行うので、ＧＰＳ受信機１０が出力する１ＰＰＳの精度が低下する前に、第１基準信号から第２基準信号への切り替えを行うことができる。これにより、常に、精度の良い基準信号を出力することができ、基準信号の精度を保証することができる。
【０１１８】
また、アンテナ５０を高い位置に配置することなく基準信号の精度を保証することができるので、その分、コストを低減することができる。
【０１１９】
＜第２実施形態＞
図６は、本発明のタイミング信号発生装置の第２実施形態の主要部の概略構成を示す図である。図７は、図６に示すタイミング信号発生装置における衛星信号の精度低下率と時間との関係を示すグラフである。
【０１２０】
以下、第２実施形態について、前述した第１実施形態との相違点を中心に説明し、同様の事項については、その説明を省略する。
【０１２１】
図６に示すように、第２実施形態のタイミング信号発生装置１では、ＧＰＳアンテナ５０は、ビル４１の壁部４２の外面４３に設置されている。このＧＰＳアンテナ５０は、ビル４１の高さよりも低い位置に配置されている。
【０１２２】
このような場合は、時間帯（時間）によっては、４つのＧＰＳ衛星２から発信された電波のうちのいくつかが、ビル４１により、遮断されてしまうことがある。図６に示す例では、所定の時間帯は、４つのＧＰＳ衛星２から発信された電波の１つがビル４１により遮断され、これにより、４つの衛星信号のうちの１つは、アンテナ５０を介してＧＰＳ受信機１０で受信することができず、ＤＯＰは、高くなる。
【０１２３】
タイミング信号発生装置１では、事前情報として、前記の状況を加味してＤＯＰ情報が予め事前情報記憶部３３２に記憶されており、第１実施形態で述べたように、基準信号の切り替えを行う。なお、図７に示すように、本実施形態では、ＤＯＰが高くなるときが、１日に４回あり、タイミング信号発生装置１では、それに応じて、基準信号の切り替えを行う。
【０１２４】
また、本実施形態では、事前情報として、ＤＯＰ情報に代えて、例えば、４つのＧＰＳ衛星２のうちの少なくとも１つがアンテナ５０に対して死角になり、４つのＧＰＳ衛星２から発信された衛星信号のうちの少なくとも１つがアンテナ５０を介してＧＰＳ受信機１０で受信することができない時間帯を示す情報を予め事前情報記憶部３３２に記憶しておいてもよい。
【０１２５】
この場合は、４つの衛星信号を受信できるＧＰＳ衛星２の配置から１つの衛星信号が受信できなくなるＧＰＳ衛星２の配置に変わる時間（タイミング）の所定時間前に、基準信号を第１基準信号から第２基準信号に切り替える。また、前記と逆に、１つの衛星信号を受信できないＧＰＳ衛星２の配置から４つの衛星信号が受信できるようになるＧＰＳ衛星２の配置に変わる時間（タイミング）の所定時間後に、基準信号を第２基準信号から第１基準信号に切り替える。なお、第１実施形態で述べたように、前記所定時間は、０でもよい、すなわち、前記所定時間を設けなくてもよい。また、基準信号を第１基準信号から第２基準信号に切り替える場合の前記所定時間と、基準信号を第２基準信号から第１基準信号に切り替える場合の前記所定時間とは、同一でもよく、また異なっていてもよい。
【０１２６】
このタイミング信号発生装置１によれば、前述した第１実施形態と同様の効果が得られる。
【０１２７】
２．電子機器
次に、本発明の電子機器の実施形態を説明する。
【０１２８】
図８は、本発明の電子機器の実施形態を示すブロック図である。
図８に示す電子機器３００は、タイミング信号発生装置３１０、ＣＰＵ（Central Processing Unit）３２０、操作部３３０、ＲＯＭ（Read Only Memory）３４０、ＲＡＭ（Random Access Memory）３５０、通信部３６０および表示部３７０を備えている。
【０１２９】
タイミング信号発生装置３１０は、例えば、前述した第１実施形態と第２実施形態とのいずれかのタイミング信号発生装置１であり、先に説明したように、衛星信号を受信して高精度のタイミング信号（１ＰＰＳ）を生成し、外部に出力する。これにより、より低コストで信頼性の高い電子機器３００を実現することができる。
【０１３０】
ＣＰＵ３２０は、ＲＯＭ３４０等に記憶されているプログラムに従い、各種の計算処理や制御処理を行う。具体的には、ＣＰＵ３２０は、タイミング信号発生装置３１０が出力するタイミング信号（１ＰＰＳ）やクロック信号に同期して、計時処理、操作部３３０からの操作信号に応じた各種の処理、外部とデータ通信を行うために通信部３６０を制御する処理、表示部３７０に各種の情報を表示させるための表示信号を送信する処理等を行う。
【０１３１】
操作部３３０は、操作キーやボタンスイッチ等により構成される入力装置であり、ユーザーによる操作に応じた操作信号をＣＰＵ３２０に出力する。
【０１３２】
ＲＯＭ３４０は、ＣＰＵ３２０が各種の計算処理や制御処理を行うためのプログラムやデータ等を記憶している。
【０１３３】
ＲＡＭ３５０は、ＣＰＵ３２０の作業領域として用いられ、ＲＯＭ３４０から読み出されたプログラムやデータ、操作部３３０から入力されたデータ、ＣＰＵ３２０が各種プログラムにしたがって実行した演算結果等を一時的に記憶する。
【０１３４】
通信部３６０は、ＣＰＵ３２０と外部装置との間のデータ通信を成立させるための各種制御を行う。
【０１３５】
表示部３７０は、ＬＣＤ（Liquid Crystal Display）等により構成される表示装置であり、ＣＰＵ３２０から入力される表示信号に基づいて各種の情報を表示する。表示部３７０には操作部３３０として機能するタッチパネルが設けられていてもよい。
【０１３６】
このような電子機器３００としては種々の電子機器が考えられ、特に限定されないが、例えば、標準時刻との同期を実現する時刻管理用のサーバー（タイムサーバー）、タイムスタンプの発行等を行う時刻管理装置（タイムスタンプサーバー）、基地局等の周波数基準装置等が挙げられる。
【０１３７】
以上、本発明のタイミング信号発生装置および電子機器を、図示の実施形態に基づいて説明したが、本発明はこれに限定されるものではなく、各部の構成は、同様の機能を有する任意の構成のものに置換することができる。また、他の任意の構成物が付加されていてもよい。
【０１３８】
また、本発明は、前記各実施形態のうちの、任意の２以上の構成（特徴）を組み合わせたものであってもよい。
【０１３９】
また、前記実施形態では、ＧＰＳを利用したタイミング信号発生装置を例に挙げたが、本発明では、ＧＰＳに限らず、ＧＰＳ以外の全地球的航法衛星システム（ＧＮＳＳ）、例えば、ガリレオ、ＧＬＯＮＡＳＳ等を利用してもよい。
【符号の説明】
【０１４０】
１‥‥タイミング信号発生装置
２‥‥ＧＰＳ衛星
１０‥‥ＧＰＳ受信機
１１‥‥ＳＡＷフィルター
１２‥‥ＲＦ処理部
１３‥‥ベースバンド処理部
１４‥‥ＴＣＸＯ
２０‥‥処理部
２１‥‥位相比較器
２２‥‥ループフィルター
２３‥‥ＤＳＰ
２４‥‥分周器
２５‥‥ＧＰＳ制御部
３０‥‥水晶発振器
３１‥‥制御部
３１１‥‥切り替えタイミング決定部
３１２‥‥閾値記憶部
３２‥‥タイマー
３３‥‥事前情報出力部
３３１‥‥事前情報生成部
３３２‥‥事前情報記憶部
３３３‥‥時間情報記憶部
４０‥‥温度センサー
４１‥‥ビル
４２‥‥壁部
４３‥‥外面
５０‥‥アンテナ
１２１‥‥ＰＬＬ
１２２‥‥ＬＮＡ
１２３‥‥ミキサー
１２４‥‥ＩＦアンプ
１２５‥‥ＩＦフィルター
１２６‥‥ＡＤＣ
１３１‥‥ＤＳＰ
１３２‥‥ＣＰＵ
１３３‥‥ＳＲＡＭ
１３４‥‥ＲＴＣ
３００‥‥電子機器
３１０‥‥タイミング信号発生装置
３２０‥‥ＣＰＵ
３３０‥‥操作部
３４０‥‥ＲＯＭ
３５０‥‥ＲＡＭ
３６０‥‥通信部
３７０‥‥表示部
【図１】
0006485141.tif 000002
【図２】
0006485141.tif 000003
【図３】
0006485141.tif 000004
【図４】
0006485141.tif 000005
【図５】
0006485141.tif 000006
【図６】
0006485141.tif 000007
【図７】
0006485141.tif 000008
【図８】
0006485141.tif 000009